(57)【要約】【課題】  簡素な構成により天板上の使用領域を減少させることなく配線カバーを支持することができると共に意匠性の高い配線カバーの支持装置を得る。【解決手段】  前後に背面合せに配した机１，１の天板後端１ｃ，１ｃ間に配線ダクト用開口部Ａを形成し、開口部Ａ内で左右に間隔を隔てて一対の受け具２１，２１を両天板１，１間に渡設して取り付けるとともに、両受け具２１，２１で開口部Ａを覆う配線カバー３１の両端部を支持してなる配線カバーの支持装置であって、受け具２１には上面２２ａが天板１の上面１ａと略面一で天板１の後端縁１ｃと直交する方向の第１受け部２２と、第１受け部２２の内側に段落ちして形成した第２受け部を備え、配線カバー３１の端部を該第２受け部に載支した状態で配線カバー３１の上面３２ａ，３３ａ，３４ａが天板１の上面１ａと略面一になるように設定した。【選択図】        図１
2006006771.tif 000002
【特許請求の範囲】
【請求項１】
前後に背面合せに配した机の天板後端間に配線ダクト用開口部を形成し、該開口部内で左右に間隔を隔てて一対の受け具を両天板間に渡設して取り付けるとともに、両受け具で前記開口部を覆う配線カバーの両端部を支持してなる配線カバーの支持装置であって、前記受け具には上面が前記天板の上面と略面一で前記天板の後端縁と直交する方向の第１受け部と、該第１受け部の内側に段落ちして形成した第２受け部を備え、前記配線カバーの端部を前記第２受け部に載支した状態で該配線カバーの上面が前記天板の上面と略面一になるように設定してなる配線カバーの支持装置。
【請求項２】
机の天板後端と机の背後に設けた幕板間に配線ダクト用開口部を形成し、該開口部内で左右に間隔を隔てて一対の受け具を天板に取り付けるとともに、両受け具で前記開口部を覆う配線カバーの両端部を支持してなる配線カバーの支持装置であって、前記受け具には上面が前記天板の上面と略面一で前記天板の後端縁と直交する方向の第１受け部と、該第１受け部の内側に段落ちして形成した第２受け部を備え、前記配線カバーの端部を前記第２受け部に載支した状態で該配線カバーの上面が前記天板の上面と略面一になるように設定してなる配線カバーの支持装置。
【請求項３】
前記受け具の第２受け部に前記配線カバーの端部と係合する係合部を設けてなる請求項１又は２記載の配線カバーの支持装置。
【請求項４】
前記受け具の第２受け部に、該受け具を前記天板の下面に取り付けるための固定部を延設してなる請求項１〜３何れかに記載の配線カバーの支持装置。
【請求項５】
前記受け具の第１受け部に机上パネル等のパーツの係合部材と係合する係合穴を設けてなる請求項１〜４何れかに記載の配線カバーの支持装置。
【発明の詳細な説明】
【技術分野】
【０００１】
本発明は、机の天板の後部下側に配設される配線ダクトの上側を覆う配線カバーを支持する配線カバーの支持装置に関するものである。
【背景技術】
【０００２】
従来の配線カバーの支持装置として、配線ダクトの両側板のうち天板寄りの一側板における外面の両端部に、上下一対の挟持片を備えた挟持体を固着し、下部の挟持片に、ハンドル付きの押さえねじを螺合し、上部の挟持片と押さえねじとで、天板の後端縁を挟持することにより、該配線ダクトを天板に取り付け、該配線ダクトの上部のうち前記挟持体の取付箇所と同じ部位に、配線ダクトにおける開口部の上面を横切って延びる水平片を備えた補強部材を固着し、該左右補強部材における水平片の相互間に、前記机上パネルの下端が嵌まる断面上向きコ字状のパネル支持体を、当該パネル支持体を挟んだ前後両側にコードを出し入れ自在なコード出し入れ口が開口するようにして固着し、該パネル支持体の底面板、補強板の水平片、配線ダクトの底面板及び挟持体の下部に各々通孔を同心状に穿設し、これら各通孔に机上パネルの下端面から下向き突出した係止棒をブッシュを介して嵌挿することにより、机上パネルの下端を、前記パネル支持体に着脱自在に装着すると共に、前記天板の上面に延出してなる前カバー体を、その係合片を前記パネル支持体の前側板と前記机上パネルとの隙間に抜き差し自在に装着して前記配線ダクトに対して着脱可能とし、前記前カバー体における後端縁の適宜箇所に、コード挿通孔を切り開き形成してなるもの（特許文献１参照。）等がある。
【特許文献１】実公平３−１２２７０号公報（第３−４頁、第１図、第３図、第６図）
【発明の開示】
【発明が解決しようとする課題】
【０００３】
以上のような従来の配線カバーの支持装置は、前記挟持体の上挟持片が必ず机の天板上に位置すると共に、前記カバー体が前記天板面上に延出するものであるため、前記天板上の使用領域が減少する。また、前記上挟持片及び前記カバー体と前記天板面とに段差が生じること、並びに、机上パネルを設置しない場合には、前記断面上向きコ字状のパネル支持体が露出することから、外観上も好ましいものとはいえない。
【０００４】
本発明は、前記のような課題を解決するためになされたものであり、簡素な構成により天板上の使用領域を減少させることなく配線カバーを支持することができると共に意匠性の高い配線カバーの支持装置を得ることを目的とする。また、机上パネル及び液晶アーム等のパーツも支持することができ、前記パーツを設置した使用形態及び該パーツを設置しない使用形態においても意匠性を損なうことがない配線カバーの支持装置を得ることを目的とする。
【課題を解決するための手段】
【０００５】
本発明に係る配線カバーの支持装置は、前後に背面合せに配した机の天板後端間に配線ダクト用開口部を形成し、該開口部内で左右に間隔を隔てて一対の受け具を両天板間に渡設して取り付けるとともに、両受け具で前記開口部を覆う配線カバーの両端部を支持してなる配線カバーの支持装置であって、前記受け具には上面が前記天板の上面と略面一で前記天板の後端縁と直交する方向の第１受け部と、該第１受け部の内側に段落ちして形成した第２受け部を備え、前記配線カバーの端部を前記第２受け部に載支した状態で該配線カバーの上面が前記天板の上面と略面一になるように設定してなるものである。
【０００６】
また、本発明に係る配線カバーの支持装置は、机の天板後端と机の背後に設けた幕板間に配線ダクト用開口部を形成し、該開口部内で左右に間隔を隔てて一対の受け具を天板に取り付けるとともに、両受け具で前記開口部を覆う配線カバーの両端部を支持してなる配線カバーの支持装置であって、前記受け具には上面が前記天板の上面と略面一で前記天板の後端縁と直交する方向の第１受け部と、該第１受け部の内側に段落ちして形成した第２受け部を備え、前記配線カバーの端部を前記第２受け部に載支した状態で該配線カバーの上面が前記天板の上面と略面一になるように設定してなるものである。
【０００７】
ここで、前記受け具の第２受け部に前記配線カバーの端部と係合する係合部を設けてなると好ましい。
【０００８】
また、前記受け具の第２受け部に、該受け具を前記天板の下面に取り付けるための固定部を延設してなると好ましい。
【０００９】
さらに、前記受け具の第１受け部に机上パネル等のパーツの係合部材と係合する係合穴を設けてなると好ましい。
【発明の効果】
【００１０】
本発明に係る配線カバーの支持装置によれば、前後に背面合せに配した机の天板後端間に配線ダクト用開口部を形成し、該開口部内で左右に間隔を隔てて一対の受け具を両天板間に渡設して取り付けるとともに、両受け具で前記開口部を覆う配線カバーの両端部を支持してなる配線カバーの支持装置であって、前記受け具には上面が前記天板の上面と略面一で前記天板の後端縁と直交する方向の第１受け部と、該第１受け部の内側に段落ちして形成した第２受け部を備え、前記配線カバーの端部を前記第２受け部に載支した状態で該配線カバーの上面が前記天板の上面と略面一になるように設定してなるので、簡素な構成により天板上の使用領域を減少させることがなく前記第２受け部により配線カバーを支持することができると共に意匠性の高い配線カバーの支持装置を得ることができる。
【００１１】
本発明に係る配線カバーの支持装置によれば、机の天板後端と机の背後に設けた幕板間に配線ダクト用開口部を形成し、該開口部内で左右に間隔を隔てて一対の受け具を天板に取り付けるとともに、両受け具で前記開口部を覆う配線カバーの両端部を支持してなる配線カバーの支持装置であって、前記受け具には上面が前記天板の上面と略面一で前記天板の後端縁と直交する方向の第１受け部と、該第１受け部の内側に段落ちして形成した第２受け部を備え、前記配線カバーの端部を前記第２受け部に載支した状態で該配線カバーの上面が前記天板の上面と略面一になるように設定してなるので、簡素な構成により天板上の使用領域を減少させることがなく前記第２受け部により配線カバーを支持することができると共に意匠性の高い配線カバーの支持装置を得ることができる。
【００１２】
また、前記受け具の第２受け部に前記配線カバーの端部と係合する係合部を設けてなると、簡素な構成により、該配線カバーを容易に支持することができる。
【００１３】
さらに、前記受け具の第２受け部に、該受け具を前記天板の下面に取り付けるための固定部を延設してなると、該受け具の前記天板への固定が容易となる。
【００１４】
さらにまた、前記受け具の第１受け部に机上パネル等のパーツの係合部材と係合する係合穴を設けてなると、前記第１受け部により机上パネル等のパーツを支持することができると共に、該パーツを設置した使用形態及び該パーツを設置しない使用形態においても意匠性を損なうことがない。また、前記第１受け部により支持される机上パネル等のパーツと、前記第２受け部により支持される配線カバーとが干渉しないため、前記机上パネルを設置した状態においても前記配線カバーの開閉を自由に行うことができる。
【発明を実施するための最良の形態】
【００１５】
実施の形態１．
図１及び図２は、本発明の実施の形態１に係る配線カバーの支持装置を示す斜視図及び平面図である。なお、図２は、各構成部品が見やすいように、天板がない状態（天板は仮想線で示す。）の平面図を示している。また、図３は、机上パネルを設置した状態を示す斜視図である。なお、以下において、椅子に座って机に向かった状態で、手前側（使用側）を前、その反対側（反使用側）を後、左側を左、右側を右とする。
【００１６】
図１〜図３において、天板１，１・・・は、脚体２，２・・・に取り付けられた天板支持部材３，３・・・により支持されている。また、前後方向に対向配置された天板１，１が左右に並設されており、対面フリーアドレス型レイアウトの連結机が構成されている。脚体２は、脚柱２ａ，２ａ及びこれら脚柱の上部間に架設した横架ビーム２ｂ並びに横架ビーム２ｂ下部に配設され脚柱２ａ，２ａと連結されたサイド幕板２ｃにより構成されている。また、図２において、脚体２，２同士は連結ビーム４により連結されており、机全体の構造強度、特に左右方向の構造強度が高められている。さらに、前後左右の天板間に配設された中央の脚体２には、その脚柱２ａ，２ａに支持ブラケット５，５が連結されており、これら支持ブラケット５，５も各々天板１，１を支持する構造となっている。図３に示す机上パネルＰは、後述する配線カバーの支持装置である受け具２１により支持されている。
【００１７】
前後方向に対向配置された天板１，１の後端縁１ｃ，１ｃには配線ダクト用開口部Ａが形成されており、この開口部Ａには、左右に間隔を隔てた一対の受け具２１，２１及び配線カバー３１が配設されている。受け具２１は、パーツの例として示した机上パネルＰを支持すると共に、配線カバー３１も支持することができるものである。また、配線カバー３１は、机の天板１の後部下側に配設される後述する配線ダクトの上側を覆うものであり、天板１の左右方向の略全長にわたって設けられている。
【００１８】
図４〜図７は、受け具及び配線カバーの構成を示す説明図であり、図４は斜視図、図５は側断面図、図６は配線カバーの開閉動作を示す側断面図、図７は受け具の平面図である。なお、図６（ａ）はカバー体を閉じた状態を、図６（ｂ）はカバー体を開いた状態を示している。また、図８は中間受け具の構成を示す説明図であり、図８（ａ）は平面図、図８（ｂ）は正面図（左又は右から見た図）である。
【００１９】
配線カバーの支持装置である受け具２１は、机の天板１の反使用側である後端部に取り付けられるものであり、天板１の上面１ａと略面一の上面２２ａが形成され、天板１の後端縁１ｃと直交する方向の第１受け部２２と、天板１の上面１ａと略平行な上面２３ａが形成され、第１受け部２２から内側に段落ちした第２受け部２３とを備えている。なお、図１に示すように、天板１の左右端の受け具２１は、第２受け部２３側と反対側の側面２２ｂが天板１の側面１ｂと略面一となるように配置される。このように、受け具２１の第１受け部２２の上面２２ａが天板１の上面１ａと略面一であると共に、天板１の左右端の受け具の前記側面２２ｂが天板１の側面１ｂと略面一であるため、机上パネルＰ等のパーツの有無にかかわらず、図１及び図３のように外観がすっきりとした印象を保っており、意匠性を損なうことがない。
【００２０】
第１受け部２２には机上パネルＰの下部に設けられたピンと係合する係合部である穴２４が設けられており、第２受け部２３には配線カバー３１の支持部材３２と係合する係合部２５が設けられている。ここで、受け具２１は、係合部２５は例えばポリアセタール、ポリプロピレン、ポリエチレンテレフタレート又はＡＢＳ等の樹脂の射出成形により製作され、他の部分は例えば鋼材による板金加工等により製作される。なお、係合部２５は、例えばねじにより第２受け部２３に着脱可能に固定される。また、受け具２１はこのようなパーツ及び配線カバーの支持に限定されるものではなく、支持しようとするパーツ及び配線カバーの係合部に合わせた形状の係合部を設ければよい。また、第１受け部２２及び第２受け部２３に、それぞれ２箇所以上の係合部を形成することもできる。
【００２１】
配線カバー３１は、机の天板１の反使用側である後端縁１ｃに沿って設けられるものであり、受け具２１の第２受け部２３の係合部２５に係合する支持部材３２、該支持部材３２の支持部３６（図６参照。）に係合して、該支持部材３２により天板１の後端縁１ｃと略平行な水平軸Ｏまわりに回動可能に支持される第１カバー体３３、該第１カバー体３３に連結される第２カバー体３４、第１カバー体３３の天板１の後端縁１ｃ方向の両側端（第１カバー体３３の左右端）に装着されるサイドキャップ３５，３５により構成される。
【００２２】
ここで、支持部材３２及び第１カバー体３３は、例えばアルミニウム合金による押出し加工等により製作される。なお、第１カバー体３３は、硬質の合成樹脂等により製作してもよいが、配線カバーの開閉動作の長期にわたる信頼性及び第１カバー体３３の長尺形状を考慮すると、アルミニウム合金による押出し加工等により製作するのが好ましい。また、第２カバー体３４は合成ゴム又はエラストマー等の軟質材により形成され、サイドキャップ３５はポリアセタール、ポリプロピレン、ポリエチレンテレフタレート又はＡＢＳ等の合成樹脂により形成される。サイドキャップ３は金属製とすることもできるが、後述するカバー体の位置を保持する保持手段としての機能を考慮すると、弾性変形しやすい合成樹脂製とするのが好ましい。
【００２３】
配線カバー３１の支持部材３２は、その上面３２ａが天板１の上面１ａと略面一に形成されていると共に、天板１の後端縁１ｃと所定距離を隔てた位置に、該後端縁１ｃと略平行に設けられている。また、カバー体（第１カバー体３３及び第２カバー体３４）を閉じた状態では、カバー体の上面（第１カバー体３３の上面３３ａ及び第２カバー体３４の上面３４ａ）が天板１の上面１ａと略面一に水平となる。このような構成により、机上パネルＰ等のパーツの有無にかかわらず、図１及び図３のように外観がすっきりとした印象を保っており、意匠性を損なうことがない。
【００２４】
支持部材３２の下部には、左右方向に延びる前後の係合板３２ｂ，３２ｂが設けられており、該係合板３２ｂが第２受け部２３の係合部２５の挟持片２５ａ，２５ｂ間の隙間２５ｃに係合して確実に支持される。該係合部２５は、その上面が天板１の上面１ａよりも低く形成されており、天板１の上面１ａから露出しないと共に、配線カバー３１を付けた状態で該配線カバー３１の上面（支持部材３２の上面３２ａ、第１カバー体３３の上面３３ａ及び第２カバー体３４の上面３４ａ）が天板１の上面１ａと略面一に形成されるため、意匠性を向上することができる。また、図６に示すように、支持部材３２の前後には支持部３６，３６が設けられており、該支持部３６には、天板１の後端縁１ｃと略平行な水平軸Ｏを中心とする内側及び外側の円弧状側面３７及び３８が形成されており、該円弧状側面３８には凹部３８ａ及び３８ｂが形成されている。
【００２５】
第１カバー体３３には、前記支持部材３２の円弧状側面３７に略外接する外接面３９ａ、前記支持部材３２の円弧状側面３８に略外接する外接面３９ｂ、及び、前記水平軸Ｏを中心とする、外接面３９ｂよりも外側の円弧状側面３９ｃが形成されている。したがって、第１カバー体３３は、支持部材３２により前記水平軸Ｏまわりに回動可能に安定かつ確実に支持されるため、長期にわたり当該回動動作の高い信頼性が確保される。なお、図４に示すように、第１カバー体３３は支持部材３２の係合部３６に対して左右方向にスライドさせながら組み付けられるものであり、使用時において、第１カバー体３３が支持部材３２から脱落することはない。
【００２６】
第２カバー体３４は、係合凸部３４ｂ及びカバー部３４ｃからなり、係合凸部３４ｂを第１カバー体３３の係合凹部３３ｂに係合させることにより（図４参照。）、第１カバー体３３と一体化する。そして、第２カバー体３４のカバー部３４ｃを合成ゴム又はエラストマー等とすることにより、第２カバー体３４が変形しやすいため、天板１側から後述する配線ダクトへの配線をした状態において、カバー体（第１カバー体３３及び第２カバー体３４）を閉じても、カバー体の上面（第１カバー体３３の上面３３ａ及び第２カバー体３４の上面３４ａ）の水平状態が保たれやすくなっている。また、第２カバー体３４により天板１とカバー体との隙間をなくすことができるため配線ダクト内へのペン等の落下を抑制することができる。さらに、第２カバー体３４を外してカバー体を第１カバー体３３のみとすれば、天板１側から配線ダクトへの配線がしやすくなると共に配線量を増大することができる。
【００２７】
第１カバー体３３に装着される合成樹脂製のサイドキャップ３５には、第１カバー体３３の円弧状側面３９ｃに略外接する外接面４０及び、支持部材３２の支持部３６の円弧状側面３８に形成された凹部３８ａ及び３８ｂに弾性的に係合する凸部４１が形成されている。したがって、図６（ｂ）に示すように、カバー体（第１カバー体３３及び第２カバー体３４）を開いて、該カバー体が上方に略垂直となった状態において、サイドキャップ３５の凸部４１が支持部材３２の支持部３６の凹部３８ａに弾性的に係合して、該カバー体の位置が保持される。
【００２８】
このように、サイドキャップ３５に設けた凸部４１及び支持部材３２に設けた凹部３８ａが、カバー体を開いて該カバー体が上方に略垂直となった状態において、該カバー体の位置を保持する保持手段として機能する。このような構成によれば、前記保持手段を簡易かつ低コストにて構成することができる。なお、サイドキャップ３５を設けずに、サイドキャップ３５に形成した凸部４１と同様の機能を有する、凹部３８ａ及び３８ｂに弾性的に係合する部分を第１カバー体３３と一体に形成してもよい。
【００２９】
該保持手段の保持力は凸部４１及び凹部３８ａの大きさ及び形状並びにサイドキャップ３５の材質等によるものであるが、例えば、図４における凸部４１の左右方向の長さＢを調整することにより、該保持力を容易に調整することができる。このように保持力を調整された、カバー体の位置を保持する保持手段を設けることにより、カバー体の開閉（図６の矢印Ｃ参照。）を容易に行うことができると共に、カバー体を開いた状態で安定かつ確実にカバー体の位置が保持されるため、後述する配線ダクトを利用する配線の収納及びコンセントの配設等の作業を容易に行うことができる。
【００３０】
また、図６（ａ）に示すように、カバー体を閉じて、該カバー体の上面が略水平となった状態において、サイドキャップ３５の凸部４１が支持部材３２の支持部３６の凹部３８ｂに弾性的に係合して、該カバー体の位置が保持される。したがって、前記のようにカバー体を閉じた状態で第２カバー体３４を変形させて配線を行った状態においても、カバー体の上面（第１カバー体３３の上面３３ａ及び第２カバー体３４の上面３４ａ）の水平状態を安定かつ確実に保持することができる。すなわち、第１カバー体３３の上面３３ａ及び第２カバー体３４の上面３４ａが略天板１の上面１ａと略面一に保持される。
【００３１】
なお、配線カバー３１は、天板１に対して、左右方向の適宜箇所にて、カバー体を任意の数に分割することができ、このように分割したカバー体毎に開閉することができる。例えば、図１〜図３には、天板１に対して、配線カバーを２分割した例を示している。このような配線カバーのカバー体の分割構造により、さらに配線作業の作業性を向上することができる。
【００３２】
次に、図５及び図７により、受け具２１の天板１，１への取付構造を説明する。受け具２１を取り付ける天板１，１の下面には、受けキャップ１６がボルト１５により固定されている。また、受け具２１の第２受け部２３には、受け具２１を天板１の下面に取り付けるための固定部２６が延設されている。固定部２６の支持穴２６ａ，２６ａは、該穴の径が左右方向に変化する略瓢箪状に形成されている。したがって、図７のように、支持穴２６ａ，２６ａの径が大きい部分に前記受けキャップ１６，１６を通した状態から、図中矢印１６のように受け具２１をキャップ１６，１６に対して移動させると、支持穴２６ａ，２６ａの径が小さい部分に受けキャップ１６，１６が位置し、この状態で受け具２１は天板１，１により支持された状態となる。この状態で、固定穴２６ｂ，２６ｂからボルト又は木ねじを通して、天板１，１に受け具２１を容易に固定することができる。
【００３３】
図１〜図３及び図８に示す中間受け具２７は、例えば左右の一対の受け具２１，２１間の距離が大きい場合において、配線カバー３１の支持部材３２を両受け具２１，２１間で支持するものである。すなわち、中間受け具２７には、両受け具２１，２１と同様の係合部２５が設けられており、支持部材３２の下部に形成された左右方向に延びる前後の係合板３２ｂ，３２ｂが該係合部２５の挟持片２５ａ，２５ｂ間の隙間２５ｃに係合して確実に支持される。なお、中間受け具２７は、延設された固定部２８，２８の固定穴２８ａからボルト又は木ねじを通して、天板１，１の下面に固定される。
【００３４】
図９は、配線ダクトの構成を示す斜視図である。ビーム受け９の前後の下向き鉤状係合片９ａ，９ａを横架部材２ｂの上部水平溝６ａに係合させ、前後方向に対向配置された天板１，１間の開口部Ａの下部の位置決めプレート８の抜き穴８ａに前後の位置決め用突出片９ｂ，９ｂを挿入した状態で、固定部材１０の前後の上向き鉤状係合片１０ａ，１０ａを横架部材２ｂの下部水平溝６ｂに係合させて、ボルト１１により、ビーム受け９及び固定部材１０を固定する。このようにして位置決めされたビーム受け９に配線ダクト１４を支持するビーム１２をボルト１３，１３により固定する。このようにビーム１２を横架部材２ｂ，２ｂ間に架設することにより、机全体の構造強度、特に左右方向の構造強度が向上する。配線ダクト１４は、水平部１４ａ、前後の上方への立起部１４ｂ，１４ｂ、及び、水平部１４ａの下側から下方へ延出し左右方向に延びる挟持板１４ｃ，１４ｃを有している。したがって、ビーム１２の上方から配線ダクト１４を載せて、前記挟持板１４ｃ，１４ｃで挟むことにより、配線ダクト１４はビーム１２上に安定して保持される。なお、挟持板１４ｃ，１４ｃはコ字状のチャンネル材等を用いて容易に構成することができる。また、配線ダクト１４はビーム１２に螺設してもよく、この場合は挟持板１４ｃ，１４ｃを無くすこともできる。そして、このような配線ダクト１４を利用して、配線の収納及びコンセントの配設等を行うことができる。
【００３５】
実施の形態２．
図１０は、本発明の実施の形態２に係る配線カバーの支持装置を示す斜視図であり、天板１，１を左右に並設し、片面フリーアドレス型レイアウトの連結机を構成した例を示している。また、図１１は、受け具の構成を示す斜視図、図１２は中間受け具の構成を示す説明図であり、図１２（ａ）は平面図、図１２（ｂ）は正面図（左から見た図）である。さらに、図１３は、配線カバーの開閉動作を示す側断面図である。なお、図１０〜図１３において、実施の形態１の図１〜８と同一符号は同一又は相当部分を示しているため詳細説明は省略する。このような構成においても、実施の形態１と同様の作用効果を奏するものである。
【００３６】
机の天板１後端と机の背後に設けた幕板１７間には配線ダクト用開口部Ａが形成されており、この開口部Ａには、左右に間隔を隔てた一対の受け具２１，２１及び配線カバー３１が配設されている。図のように、実施の形態２の配線カバーの支持装置である受け具２１は実施の形態１と異なる形状であるが、同様の構成及び機能を有するものである。すなわち、受け具２１は、机の天板１の反使用側である後端部に取り付けられるものであり、天板１の上面１ａと略面一の上面２２ａが形成され、天板１の後端縁１ｃと直交する方向の第１受け部２２と、天板１の上面１ａと略平行な上面２３ａが形成され、第１受け部２２から内側に段落ちした第２受け部２３とを備えている。そして、天板１の左右端の受け具２１は、第１受け部２２の第２受け部２３側と反対側の側面２２ｂが、天板１の側面１ｂと略面一となるように配置される。また、第１受け部２２には机上パネルＰの下部に設けられたピンと係合する係合穴２４が設けられており、第２受け部２３には配線カバー３１の支持部材３２と係合する係合部２５が設けられている。
【００３７】
配線カバー３１は、机の天板１の後部下側に配設される配線ダクト１９の上側を覆うものであり、天板１の反使用側である後端縁１ｃに沿って、天板１の左右方向の略全長にわたって設けられる。また、受け具２１の第２受け部２３の係合部２５に係合する支持部材３２、該支持部材３２に係合する第１カバー体３３、該第１カバー体３３に連結される第２カバー体３４、第１カバー体３３の天板１の後端縁１ｃ方向の両側端（第１カバー体３３の左右端）に装着されるサイドキャップ３５，３５の構成は実施の形態１と同様である。なお、配線ダクト１９は天板１の下面にボルト２０又は木ねじ等により固定される。
【００３８】
支持部材３２の形状も、実施の形態１と同様であり、該支持部材３２の天板１側の支持部３６には第１カバー体３３が係合するが、このような片面配置のレイアウトでは、天板１と反対側の支持部３６には第１カバー体３６を係合させる必要がない。したがって、天板１と反対側の支持部３６は、机の後部の幕板１７の取り付けに利用することができる。例えば、図１１に示すように、天板１の後側に設ける幕板１７を、その上面１７ａが天板１の上面１ａと略面一となるように、掛止部１７ｂを天板１と反対側の支持部３６に係合させて隠すように引っ掛けると共に、該幕板１７の上下の中間部分を受けキャップ１８により机の脚柱２ａに引っ掛ければ、該幕板１７の着脱が容易となると共に、机の上面の外観の統一性が高まり意匠性が向上する。このように、支持部材３２は、実施の形態１のような机の対向配置及び実施の形態２のような机の片面配置において共用することができるものである。
【００３９】
図１０及び図１２に示す中間受け具２７は、実施の形態１の図８の中間受け具２７と同様に、例えば左右の一対の受け具２１，２１間の距離が大きい場合において、配線カバー３１の支持部材３２を両受け具２１，２１間で支持するものである。すなわち、中間受け具２７には、両受け具２１，２１と同様の係合部２５が設けられており、支持部材３２の下部に形成された左右方向に延びる前後の係合板３２ｂ，３２ｂが該係合部２５の挟持片２５ａ，２５ｂ間の隙間２５ｃに係合して確実に支持される。なお、中間受け具２７は、延設された固定部２８の固定穴２８ａからボルト又は木ねじを通して、天板１の下面に固定される。
【００４０】
なお、本明細書における「机」には、いわゆるテーブルの概念も含むものである。
【図面の簡単な説明】
【００４１】
【図１】本発明の実施の形態１に係る配線カバーの支持装置を示す斜視図である。
【図２】本発明の実施の形態１に係る配線カバーの支持装置を示す平面図である。
【図３】机上パネルを設置した状態を示す斜視図である。
【図４】受け具及び配線カバーの構成を示す斜視図である。
【図５】受け具及び配線カバーの構成を示す側断面図である。
【図６】配線カバーの開閉動作を示す側断面図であり、（ａ）はカバー体を閉じた状態を、（ｂ）はカバー体を開いた状態を示している。
【図７】受け具の平面図である。
【図８】中間受け具の構成を示す説明図であり、（ａ）は平面図、（ｂ）は正面図である。
【図９】配線ダクトの構成を示す斜視図である。
【図１０】本発明の実施の形態２に係る配線カバーの支持装置を示す斜視図である。
【図１１】受け具の構成を示す斜視図である。
【図１２】中間受け具の構成を示す説明図であり、（ａ）は平面図、（ｂ）は正面図である。
【図１３】配線カバーの開閉動作を示す側断面図である。
【符号の説明】
【００４２】
１  天板
１ａ  上面
１ｂ  側面
１ｃ  後端縁
１４  配線ダクト
１９  配線ダクト
２１  受け具
２２  第１受け部
２２ａ  上面
２２ｂ  側面
２３  第２受け部
２３ａ  上面
２４  係合穴
２５  係合部
２５ａ，２５ｂ  挟持片
２５ｃ  隙間
２６  固定部
２６ａ  支持穴
２６ｂ  固定穴
２７  中間受け具
３１  配線カバー
３２  支持部材
３２ａ  上面
３２ｂ  係合板
３３  第１カバー体
３３ａ  上面
３３ｂ  係合凹部
３４  第２カバー体
３４ａ  上面
３４ｂ  係合凸部
３４ｃ  カバー部
３５  サイドキャップ
３６  支持部
３７，３８  円弧状側面
３８ａ，３８ｂ  凹部
３９ａ，３９ｂ  外接面
３９ｃ  円弧状側面
４０  外接面
４１  凸部
Ａ  配線ダクト用開口部
Ｏ  天板１の後端縁１ｃと略平行な水平軸
Ｐ  机上パネル
【図１】
2006006771.tif 000003
【図２】
2006006771.tif 000004
【図３】
2006006771.tif 000005
【図４】
2006006771.tif 000006
【図５】
2006006771.tif 000007
【図６】
2006006771.tif 000008
【図７】
2006006771.tif 000009
【図８】
2006006771.tif 000010
【図９】
2006006771.tif 000011
【図１０】
2006006771.tif 000012
【図１１】
2006006771.tif 000013
【図１２】
2006006771.tif 000014
【図１３】
2006006771.tif 000015